(57)【特許請求の範囲】
【請求項１】
複数個の発光ダイオードランプが配設されてなるＬＥＤユニットはその周辺部に平板部を有し、該ＬＥＤユニットの平板部を挿入できる程度の溝幅を有する溝部付きフレームを２辺とするＬＥＤ表示装置であって、前記フレームの溝部は溝幅の異なる複数段の溝を有し、前記フレームの溝部に前記ＬＥＤユニットの平板部を挿入して組み立てられたことを特徴とするＬＥＤ表示装置。
【請求項２】
複数個の発光ダイオードランプがマトリクス状に配設されてなるＬＥＤユニットと、溝部付きの２つのフレームとを備え、該フレームの溝部に前記ＬＥＤユニットを挿入して前記フレームを２辺として組み立てられるＬＥＤ表示装置であって、前記ＬＥＤユニットは、周辺部のうち前記フレームに挿入される２辺に発光ダイオードランプが配設されていない平板部を有し、前記溝部は、厚さの異なる前記ＬＥＤユニットの平板部を挿入できるように、溝幅の異なる複数段の溝を有することを特徴とするＬＥＤ表示装置。
【請求項３】
請求項１または２記載のＬＥＤ表示装置において、前記フレームの溝部は厚さ方向に複数個設けられ、前記溝部に前面パネルが挿入可能とされたことを特徴とするＬＥＤ表示装置。
【請求項４】
請求項１〜３のいずれかに記載のＬＥＤ表示装置において、前記フレームの両端に２つの支持アングルが配設され、前記フレームと支持アングルとにより枠型に形成され、各支持アングルの領域に電気系統の部品が配設されたことを特徴とするＬＥＤ表示装置。
【発明の詳細な説明】
【０００１】
【発明の属する技術分野】
本発明は、複数個のＬＥＤ（発光ダイオードランプ）がマトリクス状に配置もしくは特定部分に配設されたＬＥＤユニットを用いたＬＥＤ表示装置に関し、特にＬＥＤユニットの取り付け構造及びその製造方法に関する。
【０００２】
【従来の技術】
現在多くの表示装置の中で、ＬＥＤ表示装置は、長寿命、高輝度、多色性を有し、動画表示ができる点が優れており、さらに、複数個の発光ダイオードランプがマトリクス状または或る特定の形状に配設されてなるＬＥＤユニット（以下、ＬＥＤユニットと略称）を複数枚つなぎあわせることによって、表示サイズを自由に設定することができるため、多くの様々な場所で使用されている。
【０００３】
また、ＬＥＤ表示装置には、ＬＥＤユニットを筐体の表面側だけに取り付けて表示させる片面表示のＬＥＤ表示装置と、筐体の表面と裏面の両側にＬＥＤユニットを取り付け表示させる両面表示のＬＥＤ表示装置とがあり、これらはＬＥＤユニットを横方向や縦方向に複数枚ならべて取り付け、表示面積を広くして一度に多くの表示ができるように作られている。
【０００４】
以下、従来例のＬＥＤ表示装置におけるＬＥＤユニットの取付構造及び製造方法について、図１７を用いて説明する。図１７に示すように、従来例のＬＥＤ表示装置７０は、同一形状の複数枚のＬＥＤユニット７１（図１７では、３枚のＬＥＤユニット）から構成されており、表示サイズを大きくするにしたがってＬＥＤユニット７１の取り付け枚数を増やしたり、ＬＥＤユニット７１自体のサイズを大きくしたりしている。ＬＥＤ表示装置の筐体は主として、ＬＥＤユニット７１を取り付けるためのＬＥＤ固定用アングル７２と、ＬＥＤ固定用アングル７２を保持するための支柱７３と、さらに外観部分となる上キャビネット７４、下キャビネット７５、前面パネル７６、とから構成されている。
【０００５】
通常、１枚のＬＥＤユニット７１には、四隅のコーナー部に取り付け用の穴７８が４箇所または８箇所あけられており、ＬＥＤ固定用アングル７２には、ＬＥＤユニット７１の取り付け穴に合うように雌螺子が切られている高ボス７２ａが取り付けられている。ＬＥＤユニット７１のＬＥＤ固定用アングル７２への取り付けは、ＬＥＤユニット７１の取り付け用穴をＬＥＤ固定用アングル７２の高ボス７２ａの位置にあわせて、螺子７７を使って締結する。また、ＬＥＤユニット７１を取り付けたＬＥＤ固定用アングル７２は、上下２本からなる支柱７３に、螺子７７を使って締結されている。また、前面パネル７６は、前キャビネット７４に取り付けられＬＥＤユニットの発光を透過させるように発光色に応じた透明系のパネルが使用されている。
【０００６】
【発明が解決しようとする課題】
しかしながら、従来例のＬＥＤ表示装置においては、ＬＥＤユニットの取り付け枚数が一定でなく、ＬＥＤユニットの取り付け枚数によって、ＬＥＤ固定用アングル及び支柱を設計、製作するという手法をおこなっていた。この方法では、設計、製作にともなう労力及び時間だけでなく、ＬＥＤ固定用アングル及び支柱の外形抜き金型の作成、変更などのコスト面でも大きな負担となっていた。また、１枚のＬＥＤユニットをＬＥＤ固定用アングルに取り付ける際、少なくとも４箇所の螺子締結作業が必要になるため、ＬＥＤユニットの取り付け枚数が多い程その作業は負担となり問題となっていた。さらに、ＬＥＤユニットを固定するＬＥＤ固定用アングルは、ＬＥＤユニットの四隅のコーナー部に設けられた穴に合うように高ボスを取り付けなければならないことから、外形サイズもＬＥＤユニットを取り付けた大きさと同等以上の大きさが必要となり、螺子の多数使用と共に、ＬＥＤ表示装置の軽量化を阻害する大きな要因となっていた。
【０００７】
そこで、この本発明の目的は、ＬＥＤユニットの取り付けを簡易化できる上に、製品のコスト低減、軽量化を実現できる新規なＬＥＤユニットの取付構造によるＬＥＤ表示装置を提供することにある。
【０００８】
【課題を解決するための手段】
本発明のＬＥＤ表示装置は、該ＬＥＤユニットはその周辺部に平板部を有し、該ＬＥＤユニットの平板部を挿入できる程度の溝幅を有する溝部付きフレームを２辺とするＬＥＤ表示装置であって、該フレームの溝部に該ＬＥＤユニットの平板部を挿入して組み立てることを特徴とするものである。
【０００９】
また、前記フレームの溝部は溝幅の異なる複数段の溝を有することを特徴とするものである。
【００１０】
また、前記フレームの溝部は複数個よりなることを特徴とするものである。
【００１１】
また、前記フレームの溝部は両面表示型のＬＥＤ表示装置が組み立てられるように、前記フレームの上下方向に溝部を配設してなることを特徴とするものである。
【００１２】
また、ＬＥＤ表示装置は可変型支持アングルを用いて組み立てられ、該可変型の支持アングルは前記溝部付きフレームとは別の２辺をなすＬＥＤ表示装置であって、該可変型支持アングルは２つ以上の部品から構成され、長さ方向にスライドさせることにより、長さが可変できる構造よりなる可変型支持アングルであることを特徴とするものである。
【００１３】
また、前記溝部付きフレームに挿入された前記ＬＥＤユニットはその両端部を留め金により固定されてなることを特徴とするものである。
【００１４】
また、前記溝部付きフレームはその溝部に板状のばねが取り付けられる機構を有すことを特徴とするものである。
【００１５】
また、ＬＥＤ表示装置の裏面側には各ＬＥＤユニットを制御するための電気系統の各部品が配設されており、信号制御系統の回路部品が配設されてなる領域と電源系統の回路部品が配設されてなる領域とを物理的に分離して配設されることを特徴とするものである。
【００１６】
さらに、各ＬＥＤユニットの信号の接続・伝達は、各ＬＥＤユニットに配設されたマトリクスユニット信号出力コネクタとマトリクスユニット信号入力コネクタとを最短距離で接続する方式よりなることを特徴とするものである。
【００１７】
【発明の実施の形態】
図１〜図１６は本発明の一実施の形態に係わる図であり、以下、本発明の一実施の形態について、各図面に基づき説明する。ここでは、ＬＥＤユニットを３枚用いて取り付ける構造を一例として、ＬＥＤユニットの取付構造及びそれを適用したＬＥＤ表示装置の一実施の形態について説明する。
【００１８】
以下、ＬＥＤユニットとは、複数個の発光ダイオードランプをマトリクス状または或る特定の形状に配設されてなるＬＥＤユニットのことであり、通常はＰＷＣ等の取付基板に配設され、その周辺部には、発光ダイオードランプが配設されていない平板部を有するものである。
【００１９】
図１はこの本発明の一実施の形態のＬＥＤ表示装置の外観斜視図であり、図２はＬＥＤ表示装置におけるＬＥＤユニットの取付構造を説明する図であり、図３はその略断面図であり、図４はフレームとＬＥＤユニットとの嵌合部の部分拡大図である。
【００２０】
図２において、本発明の一実施の形態に係わるＬＥＤ表示装置１０は、溝付きの２つのフレーム１１と、両端に配設された２つの支持アングル１２と、固定ビス１３とにより枠型に固定・形成されている。この溝付きのフレーム１１は、アルミ材による押出し成形法やアルミ軽合金や非錆性軽合金などによる型抜き法などによって形成される。溝付きのフレーム１１の溝部１１ａの幅は、ＬＥＤユニット１４の平板部１４ａの厚さに応じて、スライド挿入できるよう適宜選定される。例えば、フレーム１１の溝部１１ａの幅は、ＬＥＤユニットの平板部１４ａの厚さが１．６ｍｍの場合、＋０．１〜＋０．３ｍｍ程度大きい値が選ばれ、１．７ｍｍ〜１．９ｍｍ程度の幅となる。フレームの溝部１１ａにスライドし、挿入させて、ＬＥＤユニット１４は支持アングル１２の一端に配設された留め金１５ａに当たり、固定する。次々と２枚のＬＥＤユニット１４をスライドし、挿入する。
【００２１】
図１はこのようにして組み立てられた本発明のＬＥＤ表示装置１０の外観斜視図である。１５ｂは他の一端の留め金であり、３枚のＬＥＤユニット１４は、その両端の２つの留め金１５ａ、１５ｂで挟み込んで固定されると共に、フレーム１２の溝部１１ａにより、上下方向も固定される。
【００２２】
図３はＬＥＤ表示装置１０の略断面図であり、１１は溝付きフレーム、１１ａは溝付きフレーム１１の溝部、１２は支持アングル、１３は固定ビス、１４はＬＥＤユニット、１４ａはＬＥＤユニットの平板部、１５ａ、１５ｂは留め金、１６はＬＥＤランプ、１８はＬＥＤユニットの平板部１４ａと支持アングル１２との空間、である。
【００２３】
図４は、フレーム１１の溝部１１ａにＬＥＤユニット１４の平板部１４ａがスライド挿入された嵌合部の部分拡大図である。ＬＥＤユニット１４は溝部１１ａにより確実に、スマートに固定されていることが分かる。１２は支持アングル、１３は固定ビス、１６はＬＥＤランプ、１８はＬＥＤユニットの平板部１４ａと支持アングル１２との空間、である。
【００２４】
図５、図６は、フレーム１１の溝部を異なる複数段の溝部、例えば２段の溝部１１ａ、１１ｂとした場合のＬＥＤ表示装置２０のＬＥＤユニットの取付構造を説明する図であり、図５はＬＥＤ表示装置１０の略断面図であり、図６はフレームとＬＥＤユニットとの嵌合部の部分拡大図である。
【００２５】
図５において、２０はＬＥＤ表示装置、１１は溝付きフレーム、１１ａ、１１ｂは溝付きフレーム１１の溝部、１２は支持アングル、１３は固定ビス、１９は厚板型のＬＥＤユニット、１９ａはＬＥＤユニット１９の平板部、１６はＬＥＤランプ、１８はＬＥＤユニットの平板部１４ｂと支持アングル１２との空間、である。
【００２６】
図６は、フレーム１１の溝部１１ｂに、厚板型のＬＥＤユニット１９の平板部１９ａがスライド挿入された嵌合部の部分拡大図である。ＬＥＤユニット１４は溝部１１ｂにより確実に、スマートに固定されていることが分かる。１２は支持アングル、１３は固定ビス、１６はＬＥＤランプ、１８はＬＥＤユニットの平板部１４ａと支持アングル１２との空間、である。
【００２７】
図５、図６において、例えば、フレーム１１の溝部１１ａの幅は、ＬＥＤユニットの平板部１４ａの厚さが１．６ｍｍの場合、＋０．１〜＋０．３ｍｍ程度大きい値が選ばれ、１．７ｍｍ〜１．９ｍｍ程度の幅となる。また、フレーム１１の溝部１１ｂの幅は、厚板型のＬＥＤユニット１９の平板部１９ａの厚さが２．０ｍｍの場合、＋０．１〜＋０．３ｍｍ程度大きい値が選ばれ、２．１ｍｍ〜２．３ｍｍ程度の幅が選ばれる。
【００２８】
図７は、図５、図６で説明した多段型溝部を両面に持つ両面多段型フレーム２２を用いてＬＥＤユニットを組み立てた両面表示型ＬＥＤ表示装置２１の略断面図である。図７では、通常の平板部の厚さを持つＬＥＤユニット１４を用いているため、薄溝部２２ａを用いているが、厚板の平板部を持つＬＥＤユニット１９の場合は、厚溝部２２ｂを用いて組み立てることは当然である。１２は支持アングル、１３は固定ビス、１６はＬＥＤランプ、である。
【００２９】
図８は、図５、図６で説明した多段型溝部を片面に持つ片面多段型フレーム２４を用いてＬＥＤユニットを組み立てた片面型ＬＥＤ表示装置２５の略断面図である。図８では、通常の平板部の厚さを持つＬＥＤユニット１４を用いているため、溝付きフレーム２４の薄溝部２４ａを用いているが、厚板の平板部を持つＬＥＤユニット１９の場合は、厚溝部２４ｂを用いて組み立てることは当然である。１６はＬＥＤランプ、２６は固定ビス、２７は支持アングル、である。
【００３０】
図９、図１０、図１１は、可変型支持アングルを用いた両面表示型ＬＥＤ表示装置３２に係わる図であり、図９は可変型支持アングルの組み立を説明する図であり、図１０及び図１１は両面表示型ＬＥＤ表示装置３２の略断面図であり、図１１は図１０に比較して、可変型支持アングルを大きく展いて組み立てた場合の図である。
【００３１】
図９、図１０、図１１では支持アングルの長さを変えられるように、１つの支持アングル２８が、２つの部品、支持アングル２８Ａ、支持アングル２８Ｂ、より構成されており、支持アングル２８Ａ、２８Ｂには長穴２９が形成されている。支持アングル２８Ａには螺子締結用タップ３０が切られており、締結用固定ビス３１によって、支持アングル２８Ａと支持アングル２８Ｂとは締結固定される。長穴２９をスライドさせて、支持アングル２８の全体の長さが可変できるので、様々なサイズのＬＥＤユニットを取り付け、組み立てて、様々な幅のＬＥＤ表示装置を作ることができる。
【００３２】
図９、図１０、図１１において、３２は両面表示型ＬＥＤ表示装置、１３は固定ビス、１５ａは留め金、１６はＬＥＤランプ、２２は両面多段型フレーム、２２ａは両面多段型フレーム２２の薄溝部、２２ｂは両面多段型フレーム２２の厚薄溝部、である。
【００３３】
図１２は、ＬＥＤ表示装置の溝部付きフレームの溝部に板状のばねが取り付けられる機構を説明する図である。
【００３４】
図１２において、前述したＬＥＤユニット１４、１９がスライドするフレーム１１の溝部に切り欠き部１１ｃを配設し、図のような板ばね３３を嵌め込み方式で取り付け、板ばね３３のばね作用により常時均一の力がＬＥＤユニット１４、１９を図１２の矢印方向３４にフレーム側に押えつけることができ、ＬＥＤユニット１４、１９を保持することができる。板ばね３３は凸型形状であるので、ＬＥＤユニットの押し込み挿入時も、引き出す時も、容易にスライドさせることができる。
【００３５】
図１３は、他の形の両面表示型ＬＥＤ表示装置３５の略断面図であり、図１０、図１１で説明した両面多段型フレーム２２に、前面パネル３６をスライド挿入させるための多段溝部２２ｃ、２２ｄを配設した場合のものである。
【００３６】
図１３において、１３は固定ビス、１６はＬＥＤランプ、３７は両面多段型フレーム、３７ａ及び３７ｂは両面多段型フレーム３７へのＬＥＤユニット挿入用の薄溝部及び厚溝部、３７ｃ及び３７ｄは両面多段型フレーム３７への前面パネル３６の挿入用の薄溝部及び厚溝部、である。
【００３７】
図１３の例では、両面表示型ＬＥＤ表示装置であったが、同様の構造により、片面型フレームに、適用してもよいことは当然である。
【００３８】
図１４、図１５は、本発明の一実施の形態に係わるＬＥＤ表示装置におけるＬＥＤユニットの取付構造を説明する図であり、図１４は図１に示したＬＥＤ表示装置の裏面側の様子を示す背面斜視図であり、図１４（ａ）は全体図、図１４（ｂ）は部分拡大図、である。図１５は図１４の電気配線を説明する図であり、図１５（ａ）は全体図、図１５（ｂ）は部分拡大図、である。
【００３９】
図１４において、ＬＥＤ表示装置１０の裏面側には電気配線用の端子が配設されており、各ＬＥＤユニット１４（左側より、ＬＥＤユニット１４Ａ、１４Ｂ、１４Ｃと呼ぶ）の裏面側には、マトリクスユニット電源入力コネクタ４０、マトリクスユニット特殊用途用出力コネクタ４１、マトリクスユニット電源安定化用コンデンサ４２、が配設されている。また、１１は溝付きフレーム、１１ａは溝付きフレーム１１の溝部、１２は支持アングル、１３は固定ビス、１５ｂは留め金、である。マトリクスユニット特殊用途用出力コネクタ４１は、他のＬＥＤ表示装置をフラッシュイン（点滅）動作させる等の特殊目的に使用される。
【００４０】
ＬＥＤ表示装置１０の裏面側には、各ＬＥＤユニット１４を制御するための電気系統の各部品が配設されており、図１５はその一例である。図１５の例では、裏面左側領域（一方の支持アングル１２の領域）には、信号制御系統の回路部品が配設されており、裏面右側領域（他方の支持アングル１２の領域）には、電源系統の回路部品が配設されている。即ち、信号制御系統の回路部品の配設領域と電源系統の回路部品の配設領域とは分離して、配設される構造となっている。
【００４１】
図１５の裏面左側領域において、４３はマトリクスユニット信号入力コネクタ、４４はマトリクスユニット信号線、４５はコントロールボード、であり、コントロールボード電源線４６を通じて、裏面右側領域の電源系統の回路部品から、電源の供給を受けている。
【００４２】
コントロールボード４５で生成された制御信号は、マトリクスユニット信号線４４を通じて、マトリクスユニット信号入力コネクタ４３に加えられ、ＬＥＤユニット１４Ａに加えられ、ＬＥＤユニット１４Ａを通じて、マトリクスユニット信号出力コネクタ４７を介して、次のＬＥＤユニット１４Ｂのマトリクスユニット信号入力コネクタ４８に加えられ、ＬＥＤユニット１４Ｂに伝達される。同様に、マトリクスユニット信号出力コネクタ４９、マトリクスユニット信号入力コネクタ５０を介して、その次のＬＥＤユニット１４Ｃに伝達される。即ち、各ＬＥＤユニットの信号の接続・伝達は、各ＬＥＤユニットに配設されたマトリクスユニット信号出力コネクタとマトリクスユニット信号入力コネクタとを最短距離で接続する方式によりおこなわれている。５１はマトリクスユニット電源線である。
【００４３】
各マトリクスユニットへの信号入力コネクタ及び信号出力コネクタについて説明すると、ＬＥＤユニット１４Ａに対しては、４３が信号入力コネクタであり、４７が信号出力コネクタである。ＬＥＤユニット１４Ｂに対しては、４８が信号入力コネクタであり、４９が信号出力コネクタである。ＬＥＤユニット１４Ｃに対しては、５０が信号入力コネクタであり、５２が信号出力コネクタであり、再終端の信号出力コネクタ５２が使用されないことは当然である。従って、ＬＥＤユニット１４Ａ、１４Ｂ、１４Ｃは同一規格の製品である。
【００４４】
図１５の裏面右側領域において、５３はＡＣ１００Ｖ電源入力線（２００Ｖ系電源でもよい）、５４は直流を生成するための電源回路、５５はＤＣ（直流）出力線、５６は電源分配基板、である。
【００４５】
さらに、ＬＥＤ表示装置の放熱効果を高めるため、吸気排気機構の吸気ダクト５７、排気ダクト５８が配設されており、排気用ファン５９により、強制吸気排気される機構となっている。また、１１は溝付きフレーム、１２は支持アングル、１３は固定ビス、である。
【００４６】
図１６は、図１、図１４、図１５等を用いて説明した本発明の一実施の形態に係わるＬＥＤ表示装置６０の完成品の外観斜視図である。図１６において、
６１は前面パネル、６２は外観フレーム、６３は吸気口、６４は排気口、６５はＡＣ１００Ｖ電源入力ケーブル、である。
【００４７】
以上、本発明の一実施の形態に係わるＬＥＤ表示装置におけるＬＥＤユニットの取付構造を適用することにより、前面パネルを取り付けるためのキャビネットを別に作成する必要がなく、外形サイズの要望にも対応でき、且つ、構造が単純で、安価なＬＥＤ表示装置を製造できる方法が得られると共に、安価で堅牢なＬＥＤ表示装置を得ることが可能となる。
【００４８】
【本発明の一実施の形態の効果】
以上のように、ＬＥＤユニットはその周辺部に平板部を有し、該ＬＥＤユニットの平板部を挿入できる程度の溝幅を有する溝部付きフレームを２辺とするＬＥＤ表示装置であって、該フレームの溝部に該ＬＥＤユニットの平板部を挿入してＬＥＤ表示装置を組み立てることを特徴とするものである。
【００４９】
従って、溝部付きフレームの共通化や、アングル固定用支柱の不要化、多種多様の外形サイズのＬＥＤ表示装置への対応を容易となし、ＬＥＤユニットの組み立ての簡素化、ＬＥＤ表示装置の軽量化、製造、部品コストの大幅な削減が可能となり、安価で高性能なＬＥＤ表示装置を得ることができる。
【００５０】
また、前記フレームの溝部は溝幅の異なる複数段の溝を有することを特徴とするものである。
【００５１】
従って、同一のフレームを用いて、厚さの異なる平板部を持つＬＥＤユニットの組み立てを可能となし、部品の共通化が図れ、部品コストの低減が可能となり、安価で高性能なＬＥＤ表示装置を得ることができる。
【００５２】
また、前記フレームの溝部は複数個よりなることを特徴とするものである。
【００５３】
従って、これにより、両面表示型ＬＥＤ表示装置や、前面パネル付きＬＥＤ表示装置を容易に得ることができる。
【００５４】
また、前記フレームの溝部は両面表示型のＬＥＤ表示装置が組み立てられるように、前記フレームの上下方向に溝部を配設してなることを特徴とするものである。
【００５５】
従って、これにより両面表示型のＬＥＤ表示装置が組み立てられると共に、ＬＥＤユニット間に位置するフレームは１つのフレームで取り付けることが可能となり、複数段のＬＥＤ表示装置を構成することができ、部品コストの削減が可能になる。
【００５６】
また、ＬＥＤ表示装置は可変型支持アングルを用いて組み立てられ、該可変型の支持アングルは前記溝部付きフレームとは別の２辺をなすＬＥＤ表示装置であって、該可変型支持アングルは２つ以上の部品から構成され、長さ方向にスライドさせることにより、長さが可変できる構造よりなる可変型支持アングルであることを特徴とするものである。
【００５７】
従って、これによりＬＥＤユニットの大きさに応じて、支持アングルの長さを可変することができ、さまざまなサイズのＬＥＤユニットを同一のフレームにより取り付けることができるようになり、部品の共通化が図れ、部品コストの低減が可能となる。
【００５８】
また、前記溝部付きフレームに挿入された前記ＬＥＤユニットはその両端部を留め金により固定されてなることを特徴とするものである。
【００５９】
従って、これにより垂直方向はフレームにより、平行方向はアングルの留め金により固定させることができ、生産作業性の向上が図れる。
【００６０】
また、前記溝部付きフレームはその溝部に板状のばねが取り付けられる機構を有すことを特徴とするものである。
【００６１】
従って、これによりＬＥＤユニットを挿入しスライドさせた時、板ばねによりＬＥＤユニットがフレームに押えつけられ、ホールド（保持）させることができ、特に輸送車両などに搭載されるＬＥＤ表示装置について耐振動性を得ることができる。
【００６２】
また、ＬＥＤ表示装置の裏面側には各ＬＥＤユニットを制御するための電気系統の各部品が配設されており、信号制御系統の回路部品が配設されてなる領域と電源系統の回路部品が配設されてなる領域とを物理的に分離して配設されることを特徴とするものである。
【００６３】
従って、信号制御系統の回路部品と電源系統の回路部品との相互干渉を減少させることができ、さらに、放熱等の熱設計を容易にすることができる。
【００６４】
さらに、各ＬＥＤユニットの信号の接続・伝達によれば、各ＬＥＤユニットに配設されたマトリクスユニット信号出力コネクタとマトリクスユニット信号入力コネクタとを最短距離で接続する方式よりなることを特徴とするものである。
【００６５】
従って、各ＬＥＤユニット間の信号伝達線を最短距離で接続することができる。
【図面の簡単な説明】
【図１】本発明の一実施の形態に係わるＬＥＤ表示装置の外観斜視図である。
【図２】本発明の一実施の形態に係わるＬＥＤ表示装置におけるＬＥＤユニットの取付構造を説明する図である。
【図３】本発明の一実施の形態に係わるＬＥＤ表示装置の略断面図である。
【図４】本発明の一実施の形態に係わるＬＥＤ表示装置の略断面図である図３の部分拡大図である。
【図５】本発明の一実施の形態に係わるＬＥＤ表示装置の略断面図であり、フレームの溝部は溝幅の異なる複数段の溝を有するものである。
【図６】本発明の一実施の形態に係わるＬＥＤ表示装置の略断面図である図５の部分拡大図である。
【図７】本発明の一実施の形態に係わる両面表示型ＬＥＤ表示装置の略断面図である。
【図８】本発明の一実施の形態に係わるＬＥＤ表示装置の略断面図であり、フレームの溝部は溝幅の異なる複数段の溝を有するものである。
【図９】本発明の一実施の形態に係わるＬＥＤ表示装置の可変型支持アングルの組み立を説明する図である。
【図１０】本発明の一実施の形態に係わる両面表示型ＬＥＤ表示装置の略断面図であり、可変型支持アングルを用いたものである。
【図１１】本発明の一実施の形態に係わる両面表示型ＬＥＤ表示装置の略断面図であり、可変型支持アングルを用いたものである。
【図１２】本発明の一実施の形態に係わるＬＥＤ表示装置の支持アングルの説明図であり、溝部付きフレームの溝部に板状のばねが取り付けられる機構を有するものである。
【図１３】本発明の一実施の形態に係わる前面パネル付き両面表示型ＬＥＤ表示装置の略断面図である。
【図１４】本発明の一実施の形態に係わるＬＥＤ表示装置の裏面側の様子を示す背面斜視図であり、（ａ）は全体図、（ｂ）は部分拡大図、である。
【図１５】本発明の一実施の形態に係わるＬＥＤ表示装置の裏面側の電気配線を説明する図であり、（ａ）は全体図、（ｂ）は部分拡大図、である。
【図１６】本発明の一実施の形態に係わるＬＥＤ表示装置６０の完成品の外観斜視図である。
【図１７】従来例のＬＥＤ表示装置におけるＬＥＤユニットの取付構造を説明する図である。
【符号の説明】
１０    ＬＥＤ表示装置
１１    溝付きフレーム
１１ａ  溝付きフレーム１１の溝部
１１ｂ  フレーム１１の溝部１１ｂ
１１ｃ  溝部の切り欠き部
１２    支持アングル
１３    固定ビス
１４    ＬＥＤユニット
１４Ａ、１４Ｂ、１４Ｃ  ＬＥＤユニット
１４ａ  ＬＥＤユニットの平板部
１５ａ  留め金
１５ｂ  留め金
１６    ＬＥＤランプ
１８    ＬＥＤユニットの平板部と支持アングルとの空間
１９    厚板型のＬＥＤユニット
１９ａ  ＬＥＤユニット１９の平板部
２０、２１、２５    ＬＥＤ表示装置
２２    両面多段型フレーム
２２ａ  両面多段型フレーム２２の薄溝部
２２ｂ  両面多段型フレーム２２の厚溝部
２２ｃ  スライド挿入させるためのフレーム多段溝部
２２ｄ  スライド挿入させるためのフレーム多段溝部
２４    溝付きフレーム
２４ａ  薄溝部
２４ｂ  厚溝部
２６    固定ビス
２７    支持アングル
２８    支持アングル
２８Ａ  支持アングル
２８Ｂ  支持アングル
２９    長穴
３０    螺子締結用タップ
３１    締結用固定ビス
３２    両面表示型ＬＥＤ表示装置
３３    板ばね
３６    前面パネル
３７    両面多段型フレーム
３７ａ  両面多段型フレーム３７へのＬＥＤユニット挿入用の薄溝部
３７ｂ  両面多段型フレーム３７へのＬＥＤユニット挿入用の厚溝部
３７ｃ  両面多段型フレーム３７への前面パネル３６の挿入用の薄溝部
３７ｄ  両面多段型フレーム３７への前面パネル３６の挿入用の厚溝部
４０    マトリクスユニット電源入力コネクタ
４１    マトリクスユニット特殊用途用出力コネクタ
４２    マトリクスユニット電源安定化用コンデンサ
４３    マトリクスユニット信号入力コネクタ
４４    マトリクスユニット信号線
４５    コントロールボード
４６    コントロールボード電源線
４７    マトリクスユニット信号出力コネクタ
４８    マトリクスユニット信号入力コネクタ
４９    マトリクスユニット信号出力コネクタ
５０    マトリクスユニット信号入力コネクタ
５１    マトリクスユニット電源線
５２    マトリクスユニット信号出力コネクタ
５３    ＡＣ１００Ｖ電源入力線
５４    直流を生成するための電源回路
５５    ＤＣ（直流）出力線
５６    電源分配基板
５７    吸気ダクト
５８    排気ダクト
５９    排気用ファン
６０    ＬＥＤ表示装置
６１    前面パネル
６２    外観フレーム
６３    吸気口
６４    排気口
６５    ＡＣ１００Ｖ電源入力ケーブル
【図１】
0003644824.tif 000002
【図２】
0003644824.tif 000003
【図３】
0003644824.tif 000004
【図４】
0003644824.tif 000005
【図５】
0003644824.tif 000006
【図６】
0003644824.tif 000007
【図７】
0003644824.tif 000008
【図８】
0003644824.tif 000009
【図９】
0003644824.tif 000010
【図１０】
0003644824.tif 000011
【図１１】
0003644824.tif 000012
【図１２】
0003644824.tif 000013
【図１３】
0003644824.tif 000014
【図１４】
0003644824.tif 000015
【図１５】
0003644824.tif 000016
【図１６】
0003644824.tif 000017
【図１７】
0003644824.tif 000018